(57)【要約】【課題】エレベーターの利用者が非サービス階のかご呼び釦を押した場合、直ちに非サービス階のかご呼び釦を押したことを知らしめるとともに、迷惑を極力掛けずにエレベーターを利用できるエレベーターの呼び登録装置の提供。【解決手段】非サービス階を有するとともに、この非サービス階のかご呼び釦１Ａが押圧されたことを検出する非サービス階呼び検出装置１０と、押圧したかご呼び釦１Ａが非サービス階である旨の音声放送を行なう音声案内装置１Ｂ、１２を備えたエレベーターの呼び登録装置において、非サービス階呼び検出装置１０が非サービス階のかご呼び釦１Ａの押圧を検出すると、非サービス階の近傍に位置するサービス階の呼びを登録するとともに、押圧したかご呼び釦と異なる階床を登録した旨の放送を前記音声案内装置１Ｂ、１２に指令する代替呼び設定装置１１を備えた構成である。【選択図】        図１
2004155560.tif 000002
【特許請求の範囲】
【請求項１】
非サービス階を有するとともに、この非サービス階のかご呼び釦が押圧されたことを検出する非サービス階呼び検出装置と、押圧したかご呼び釦が非サービス階である旨の音声放送を行う音声案内装置を備えたエレベーターの呼び登録装置において、前記非サービス階呼び検出装置が非サービス階のかご呼び釦の押圧を検出すると、非サービス階の近傍に位置するサービス階の呼びを登録するとともに、押圧したかご呼び釦と異なる階床を登録した旨の放送を前記音声案内装置に指令する代替呼び設定装置を備えたことを特徴とするエレベーターの呼び登録装置。
【発明の詳細な説明】
【０００１】
【発明の属する技術分野】
本発明は、エレベーターの呼び登録装置に係り、特に、スキップ運転が設定できるエレベーターの呼び登録装置に関する。
【０００２】
【従来の技術】
従来、ビルの混雑時にエレベーターの輸送能力を落とさないようにするため、混雑時はサービス階を複数階おきの階に限定して運転する機能を有するエレベーターにおいて、非サービス階の行き先階釦が押された場合でも、利用者が困惑して時間を費やすことを未然に防ぐために、釦が押された階の上方向または下方向のサービス階の呼びを自動登録し、さらにこのとき操作盤に「混雑時ですのでランプの点灯した階で降りて下さい。」という表示を行ない、利用者が自動登録したサービス階で降りることを促すものが提案されている（例えば、特許文献１参照。）。
【０００３】
【特許文献１】
特開昭５２−６１０４０号公報  （第３頁、第８図）
【０００４】
【発明が解決しようとする課題】
上記、従来技術は、主に運転効率を上げるために利用者を特定のサービス階へ誘導することを第１に考えた場合のものであり、早く目的の階床に到着したいというエレベーターの利用者の立場に立って、押圧されたかご呼び釦に対して呼び登録の変更を行なっていないため、エレベーターの利用者から不満が発生する虞がある。
【０００５】
また、押されたかご呼び釦が非サービス階であることに気付かない場合、エレベーターの利用者は呼びが登録されないため、エレベーターに故障が発生したと勘違いをして、エレベーターの保守や修理を行なう保守会社に故障発生連絡を行なうことも考えられる。
【０００６】
本発明の目的は、エレベーターの利用者が非サービス階のかご呼び釦を押した場合、直ちに非サービス階のかご呼び釦を押したことを知らしめるとともに、迷惑を極力掛けずにエレベーターを利用できるエレベーターの呼び登録装置を提供するものである。
【０００７】
【課題を解決するための手段】
上記目的を達成するために本発明は、非サービス階を有するとともに、この非サービス階のかご呼び釦が押圧されたことを検出する非サービス階呼び検出装置と、押圧したかご呼び釦が非サービス階である旨の音声放送を行う音声案内装置を備えたエレベーターの呼び登録装置において、前記非サービス階呼び検出装置が非サービス階のかご呼び釦の押圧を検出すると、非サービス階の近傍に位置するサービス階の呼びを登録するとともに、押圧したかご呼び釦と異なる階床を登録した旨の放送を前記音声案内装置に指令する代替呼び設定装置を備えたものである。
【０００８】
このようにしたので、押圧されたかご呼び釦が非サービス階であることを非サービス階呼び検出装置が識別すると、代替呼び設定装置で押圧された非サービス階の近傍に位置するサービス階の呼びを登録し、音声案内装置で押圧したかご呼び釦と異なる階床を登録した旨の放送を行なうことで、目的階である非サービス階の近傍階が登録されたことを利用者が納得して利用するので、呼び登録の変更に対して利用者への困惑やエレベーターが故障していると言う不安感も排除できる。
【０００９】
【発明の実施の形態】
以下、本発明の一実施形態を図１、図２に基づいて説明する。
【００１０】
図１は本発明のエレベーターの呼び登録装置の一実施形態における要部ブロック図、図２は本発明のエレベーターの呼び登録装置の一実施形態の動作を説明するフローチャートである。
【００１１】
図１において、エレベーターのかご１に設けられる図示しない運転盤には、複数個のかご呼び釦１Ａが配設され、建物の各階のエレベーター乗場にはかご１を呼び寄せる乗り場釦２が配設され、乗り場釦２が押圧されると制御装置３内の運転制御装置４がエレベーターの呼び信号を検出して、モーター制御装置５に対して、かご１を呼び発生階へ走行させる信号をモーター６へ送信し、モーター６はかご１を呼び発生階へ走行させる。ここで、かご１は釣合い錘７と複数本のロープ８で接続され、複数本のロープ８はモーター６の回転が伝達される綱車８に巻き掛けられている。
【００１２】
また、複数台のエレベーターが設置される建物では、エレベーター運転効率を高めるためエレベーター毎にサービスする階床であるサービス階と、サービスしない階床である非サービス階とを設定することがあったり、エレベーターが１台だけの建物でも、例えば、呼び切離しスイッチ９ａを投入すると、かご１のかご呼び釦１Ａの３階のかご呼び釦と、３階の乗場釦とを無効にしたり、呼び切離しスイッチ９ｂを投入すると、かご呼び釦１Ａの５〜７階のかご呼び釦と、５〜７階の乗場釦とを無効とする設定も可能である。ここで、呼び切離しスイッチ９ａ、９ｂの少なくとも一方の投入で非サービス階を設定すると、スイッチ９ａ、９ｂから運行制御装置４に非サービス階設定信号を出力する。
【００１３】
また、運行制御装置４とかご呼び釦１Ａ間に接続される非サービス階検出装置１０は、押圧されたかご呼び釦１Ａの階がサービス階か非サービス階かを判定し、サービス階のときにかご呼び信号を運行制御装置４へ出力するとともに、非サービス階のときにかご呼び信号を後述する代替呼び設定装置１１へ出力し、運行制御装置４から非サービス階の設定データを取得する。
【００１４】
また、代替呼び設定装置１１は、非サービス階検出装置１０から非サービス階のかご呼び信号を受信すると、運行制御装置４から取得した非サービス階の設定データに基づいて、非サービス階の近傍のサービス階を選択して代替呼び登録として設定し、この代替呼び登録信号を運行制御装置４と後述する音声案内信号出力装置１２へ出力する。
【００１５】
また、音声案内信号出力装置１２は、運行制御装置４及び代替呼び設定装置１１から呼び登録信号が送信されると、予め記憶される複数の音声合成信号の中から該当する音声案内信号を選択して、かご１に設けられる音声案内装置（スピーカー）１Ｂへ出力する。
【００１６】
ここで、制御装置３は、運行制御装置４、モーター制御装置５、非サービス階検出装置１０、代替呼び設定装置１１、音声案内信号出力装置１２とで少なくとも構成されている。
【００１７】
次に、このように構成される本実施形態の動作の説明を図２に示すフローチャートを用いて説明する。
【００１８】
まず、呼び切離しスイッチ９ｂを投入して、かご呼び釦１Ａの５〜７階のかご呼び釦と、５〜７階乗場釦とを無効に設定すると、５〜７階の非サービス階設定信号を運行制御装置４に出力し、運行制御装置４から非サービス階検出装置１０と代替呼び設定装置１１に５〜７階の非サービス階設定信号が出力され、非サービス階検出装置１０と代替呼び設定装置１１は５〜７階を非サービス階として認定する。
【００１９】
次に、かご１に乗り込んだ乗客が、かご呼び釦１Ａの４階の釦を押圧すると（ステップＳ１）、非サービス階検出装置１０は４階が非サービス階か否かを判断し（ステップＳ２）、サービス階であるので、４階のかご呼び信号を運行制御装置４に出力し、運行制御装置４はモーター及び綱車を介してかご１を４階に走行させるように、モーター制御装置５へ走行指令信号を送信するとともに（ステップＳ３）、音声案内信号出力装置１２に４階の呼び登録信号を送信すると、音声案内信号出力装置１２は４階の呼び登録に該当する音声案内信号から例えば「４階の呼びが登録されました。」を選択して、音声案内装置（スピーカー）１Ｂへ出力し、音声案内装置（スピーカー）１Ｂを介してかご１に放送を行なう（ステップＳ４）。
【００２０】
また、ステップＳ１で押圧されたかご呼び釦１Ａが非サービス階の７階であると、ステップＳ２で非サービス階検出装置１０は非サービス階を認識して、４階のかご呼び信号を代替呼び設定装置１１に送信する。
【００２１】
代替呼び設定装置１１は、非サービス階のかご呼び釦の階床数値を変数ｘに代入してｘを“７”とし（ステップＳ５）、変数ｎに初期値としての数値を“１”とし（ステップＳ６）、変数ｘと変数ｎを加算した数値“８”である８階が非サービス階か否かを判断し（ステップＳ７）、８階はサービス階であるので、変数ｙに変数ｘ＋ｎを代入した数値“８”を確立し（ステップＳ８）、運行制御装置４へｙ階である８階の呼び登録信号を送信するとともに、音声案内信号出力装置１２へ変数ｘと変数ｙの数値である“７”と“８”を送信する（ステップＳ９）。
【００２２】
また、前述のステップＳ９で、代替呼び設定装置１１から非サービス階である７階から代替の８階のかご呼びが登録信号を受信した音声案内信号出力装置１２は、ステップＳ４において、該当する音声案内信号から例えば「７階には停まりません。代わりに８階の呼びを登録しました。８階から先は階段をご利用ください。」を選択して、音声案内装置（スピーカー）１Ｂへ出力し、音声案内装置（スピーカー）１Ｂを介してかご１に放送を行ない、非サービス階である７階のかご呼び釦を押した乗客に代替呼びの登録と目的階へ行く方法を知らしめる。
【００２３】
また、ステップＳ１で押圧されたかご呼び釦１Ａが非サービス階の５階であると、代替呼び設定装置１１は、ステップＳ７において、変数ｘと変数ｎを加算した数値“６”である６階が非サービス階であると判断するので、変数ｘから変数ｎを減算した数値である“４”階が非サービス階か否かを判断し（ステップＳ１０）、４階はサービス階であるので、変数ｙに変数ｘ−ｎを代入した数値“４”を確立し（ステップＳ１１）、ステップＳ９へ戻り、運行制御装置４へｙ階である４階の呼び登録の信号を送信するとともに、音声案内信号出力装置１２へ変数ｘと変数ｙの数値である“５”と“４”を送信し、かご１に「５階には止まりません。代わりに４階の呼びを登録しました。４階から先は階段をご利用ください。」なる案内放送を行なわせる。
【００２４】
また、ステップＳ１で押圧されたかご呼び釦１Ａが非サービス階の６階であると、代替呼び設定装置１１は、ステップＳ７において、変数ｘと変数ｎを加算した数値“７”である７階が非サービス階であると判断し、ステップＳ１０において、変数ｘから変数ｎを減算した数値である“５”階が非サービス階か否かを判断し、５階は非サービス階であるので、ステップＳ６において、初期値としての数値を“１”とした変数ｎに“１”を加え変数ｎを“２”とし（ステップＳ１２）、ステップＳ７へ戻り、変数ｘと変数ｎを加算した数値“８”である８階がサービス階であると判断するので、上述したステップＳ８、ステップＳ９、ステップＳ４の処理を行なう。
【００２５】
本実施形態によれば、非サービス階に設定されたかご呼び釦１Ａが押圧されると、代替呼び設定装置１１は、押圧された非サービス階に隣接する上の階床から代替の呼び登録階を選択するようにしたので、目的階への階段利用が容易となる。
【００２６】
【発明の効果】
本発明によれば、押圧されたかご呼び釦が非サービス階であることを非サービス階呼び検出装置が識別すると、代替呼び設定装置で押圧された非サービス階の近傍に位置するサービス階の呼びを登録し、音声案内装置で押圧したかご呼び釦と異なる階床を登録した旨の放送を行なうことで、目的階である非サービス階の近傍階が登録されたことを、利用者が納得して利用するので、呼び登録の変更に対して利用者への困惑やエレベーターが故障しているという不安感も排除できる。
【図面の簡単な説明】
【図１】本発明のエレベーターの呼び登録装置の一実施形態における要部ブロック図である。
【図２】本発明のエレベーターの呼び登録装置の一実施形態の動作を説明するフローチャートである。
【符号の説明】
１  かご
１Ａ  かご呼び釦
１Ｂ  音声案内装置（スピーカー）
３  制御装置
４  運行制御装置
５  モーター制御装置
１０  非サービス階検出装置
１１  代替呼び設定装置
１２  音声案内信号出力装置
【図１】
2004155560.tif 000003
【図２】
2004155560.tif 000004